(57)【要約】      （修正有）【課題】浮遊する埃、塵、菌、有害物質を吸着分解し、室内における住環境を良くすることができる多目的ボードを提供する。【解決手段】段ボール、厚紙、発泡スチロール、木、樹脂、金属等の剛性のある素材よりなるボード本体２と、ボード本体２の少なくとも一方の面に固着したシート材３を具備した多目的ボードであって、シート材３は、紙、布、ビニール等の薄いシート状素材よりなるシート本体と、シート本体の一方の面にチタンアパタイトを塗布することで形成したチタンアパタイト層を具備し、チタンアパタイト層が形成されていない面をボード本体２に固着したことを特徴とし、パーテーション、ついたて、間仕切り、照明器具の傘やフード等として用いることにより、チタンアパタイトの作用によって、室内の殺菌、抗菌を行い、これによって、室内における住環境を良い状態で維持することができる。【選択図】図２
0003206542.tif 000002
【実用新案登録請求の範囲】
【請求項１】
ボード本体（２）と、該ボード本体（２）の少なくとも一方の面に固着したシート材（３）と、を具備した多目的ボードであって、
前記シート材（３）は、
薄いシート状素材よりなるシート本体（５）と、該シート本体（５）の一方の面にチタンアパタイトを塗布することにより形成したチタンアパタイト層（６）と、を具備し、前記チタンアパタイト層（６）が形成されていない面を前記ボード本体（２）に固着した、ことを特徴とする多目的ボード。
【請求項２】
前記シート本体（５）が紙であることを特徴とする請求項１に記載の多目的ボード。
【請求項３】
前記シート本体（５）が布であることを特徴とする請求項１に記載の多目的ボード。
【請求項４】
前記シート本体（５）がビニールであることを特徴とする請求項１に記載の多目的ボード。
【請求項５】
前記ボード本体（２）が段ボール製ボードであることを特徴とする請求項１乃至請求項４のいずれかに記載の多目的ボード。
【請求項６】
前記ボード本体（２）が厚紙性ボードであることを特徴とする請求項１乃至請求項４のいずれかに記載の多目的ボード。
【請求項７】
前記ボード本体（２）が発泡スチロール製ボードであることを特徴とする請求項１乃至請求項４のいずれかに記載の多目的ボード。
【請求項８】
前記ボード本体（２）が木製ボードであることを特徴とする請求項１乃至請求項４のいずれかに記載の多目的ボード。
【請求項９】
前記ボード本体（２）が樹脂製ボードであることを特徴とする請求項１乃至請求項４のいずれかに記載の多目的ボード。
【請求項１０】
前記ボード本体（２）が金属製ボードであることを特徴とする請求項１乃至請求項４のいずれかに記載の多目的ボード。
【請求項１１】
前記ボード本体（２）の他方の面に接着層を形成したことを特徴とする請求項１乃至請求項１０のいずれかに記載の多目的ボード。
【考案の詳細な説明】
【技術分野】
【０００１】
本考案は、パーテーション、ついたて、間仕切り、あるいは照明器具の傘やフードなどに使用される多目的ボードに係り、より詳しくは、ボード本体の少なくとも一方の面に、チタンアパタイト層を具備したシート材を備えたことを特徴とする多目的ボードに関する。
【背景技術】
【０００２】
従来、室内の住環境を好みのものにするため、壁紙、障子紙、ふすま紙あるいはカーテンを、好みの色や模様にして室内装飾を行うことが行われているが、壁紙、障子紙、ふすま紙、カーテンを好みの色や模様に変更したのみでは、精神面でのストレス等を解消することはできるが、健康面を考慮した住環境そのものを向上させることはできない。即ち、室内における住環境を良くするためには、室内における殺菌、抗菌が必要であるが、壁紙、障子紙、ふすま紙あるいはカーテンを好みの色や模様に変更したのみでは、室内に浮遊する菌、有害物質を除去することは不可能である。
【０００３】
また従来は、室内の住環境を良くするために、空気清浄機を室内に配置したり、観葉植物を室内に置いたりすることが行われていたが、室内に空気清浄機を置いた場合には、フィルタ等の交換やメンテナンスが面倒であるとともに、電気代等の費用も必要となる。また、観葉植物を置いた場合には世話が大変であるばかりか、世話を怠ると逆に、室内が汚れてしまうという問題点も考えられる。
【０００４】
この点、本考案者は過去に、珪藻土と光触媒を混ぜ合わせて製造したコーティング材を壁紙本体の一方の面に塗布してコーティング層を形成した壁紙を提案しており、これにより、面倒な施工を行うことなく室内における住環境を良くすることができる効果を得ることが可能となったが、この方法では、壁に貼着する作業が面倒であり、専門業者でなければきれいに貼ることができないという問題点が指摘されていた。
【０００５】
そのために、本考案者は更に、上記のような問題点を解決するため、チタンアパタイトを備えたコーティング層を表面に具備したパネルを考案し、このパネルを壁や天井に係止するのみで壁や天井に備えることで、専門的な技術を必要とすること無く、容易に屋内の住環境を良くすることを可能とした。
【先行技術文献】
【特許文献】
【０００６】
【特許文献１】実用新案登録第３１８６１４２号公報
【特許文献２】実用新案登録第３１９９６５８号公報
【特許文献３】実用新案登録第３１９９６５９号公報
【特許文献４】実用新案登録第３２０２４７９号公報
【特許文献５】実用新案登録第３２０２４８０号公報
【特許文献６】実用新案登録第３２０３１１６号公報
【特許文献７】実用新案登録第３２０３１１７号公報
【考案の概要】
【考案が解決しようとする課題】
【０００７】
ところで、室内環境を好みの装飾にするためには、壁等を変更するのみでは不十分であり、その他、パーテーション、ついたて、間仕切り、あるいは照明器具の傘やフードなどを好みの色や模様にすることが好ましく、更にそのとき、室内における殺菌、抗菌を行うことが可能であればなお良い、
【０００８】
そこで、本考案は、特に面倒な作業を行うことなく、室内環境を好みの装飾にするとともに、室内における殺菌、抗菌を行うことが可能な多目的ボードを提供することを課題としている。
【課題を解決するための手段】
【０００９】
本考案の多目的ボードは、
ボード本体と、このボード本体の少なくとも一方の面に固着したシート材と、を具備した多目的ボードであって、
前記シート材は、
薄いシート状素材よりなるシート本体と、該シート本体の一方の面にチタンアパタイトを塗布することにより形成したチタンアパタイト層と、を具備し、前記チタンアパタイト層が形成されていない面を前記ボード本体に固着した、ことを特徴としている。
【考案の効果】
【００１０】
本考案の多目的ボードでは、ボード本体と、このボード本体の少なくとも一方の面に固着したシート材とを具備しており、シート材は、薄いシート状素材よりなるシート本体と、このシート本体の一方の面にチタンアパタイトを塗布することにより形成したチタンアパタイト層を具備し、チタンアパタイト層が形成されていない面を前記ボード本体に固着して構成されている。
【００１１】
そのために、チタンアパタイト層の作用により、浮遊している埃、塵、菌、有害物質を吸着して分解することができるので、この多目的ボードを、パーテーション、ついたて、間仕切り、あるいは照明器具の傘やフードなどに使用することで、浮遊している埃、塵、菌、有害物質等を吸着して、これを確実に分解し、室内における住環境を良くすることが可能となる。
【図面の簡単な説明】
【００１２】
【図１】本考案の多目的ボードの実施例の正面図である。
【図２】本考案の多目的ボードの実施例の構造を説明するための断面図である。
【図３】本考案の多目的ボードの実施例に用いるシート材の構造を説明するための断面図である。
【考案を実施するための形態】
【００１３】
本考案の多目的ボードは、ボード本体を有しており、このボード本体の少なくとも一方の面には、シート材が固着されている。
【００１４】
そして、前記シート材は、薄いシート状素材よりなるシート本体と、このシート本体の一方の面にチタンアパタイトを塗布することにより形成したチタンアパタイト層を具備しており、チタンアパタイト層が形成されていない面を前記ボード本体に固着している。
【００１５】
ここで、前記シート本体は、薄いシート状の素材であればいずれでも良いが、例えば、紙、布、あるいはビニールを用いるとよい。
【００１６】
また、前記ボード本体は、ある程度の剛性を有する素材で構成してあればいずれでも良いが、例えば、段ボール、厚紙、発泡スチロール、木、樹脂、あるいは金属を素材としたボードを用いると良い。
【００１７】
また、ボード本体の一方の面にのみシート材を固着した場合には、ボード本体の他方の面に接着層を形成するとよく、これにより、多目的ボードを好みの箇所に貼着することが可能となる。
【実施例１】
【００１８】
本考案の多目的ボードの実施例について図面を参照して説明すると、図１は、本実施例の多目的ボードの正面図である。また、図２は、本実施例の多目的ボードの構造を示す断面図であり、図１におけるＡ−Ａ線断面構造の一部を拡大して示している。
【００１９】
そして、図において１が本実施例の多目的ボードであり、本実施例の多目的ボード１は、パーテーション、ついたて、間仕切り、あるいは照明器具の傘やフードなどに使用するものとしており、ボード本体と、このボード本体の表裏面に備えたシート材を具備して構成されている。
【００２０】
即ち、図２において２がボード本体であり、本実施例において前記ボード本体は、段ボール、厚紙、発泡スチロール、木、樹脂、金属等で構成されており、ある程度の剛性を有するものとしている。なお、本実施例におけるボード本体２は長方形状としているが、本考案の多目的ボードでは、ボード本体２の形状は特に限定されず、長方形状の他に、正方形状、円形状、三角形状、多角形状等、いずれの形状にしても良い。
【００２１】
次に、図において３はシート材である。即ち、本実施例の多目的ボード１では、前記ボード本体２の表裏面にシート材３を具備している。そして、本実施例においては、接着剤４によって、前記シート材３を前記ボード本体２の表裏面に固着している。なお、接着剤の種類は特に限定されず、エマルジョンタイプの水性糊、でんぷん系接着剤等、シート材３を貼着可能なものであればいずれの接着剤でも良い。
【００２２】
ここで、前記シート材３について図３を参照して説明すると、図３は前記シート材３の構造を示す断面図であり、本実施例において前記シート材３は、シート本体と、このシート本体の一方の面に形成されたチタンアパタイト層とを具備して構成されている。
【００２３】
即ち、図３において５がシート本体であり、本実施例において前記シート本体５は、前記ボード本体２と同じ形状寸法としており、紙、布、あるいはビニール等の樹脂、により構成され、薄いシート状としている。
【００２４】
そして、前記シート本体５の一方の面には、チタンアパタイト層６が形成されており、このチタンアパタイト層６が露出するように、チタンアパタイト層６が形成されていない面を前記ボード本体２に固着しており、このチタンアパタイト層６の存在により、室内に浮遊する埃、菌、有害物質等の有機物を吸着するとともに確実に分解し、室内の住環境を良いものにしている。
【００２５】
ここで、前記チタンアパタイト層６について説明すると、本実施例において前記チタンアパタイト層６は、前記シート本体５の一方の面にチタンアパタイトを塗布することで形成している。具体的には、本実施例では、チタンアパタイトを含有したスプレーを用いて、前記シート本体５の一方の面にチタンアパタイトを吹き付けることによって、前記シート本体５の一方の面にチタンアパタイトによるコーティング層３を形成し、チタンアパタイト層６が形成されていない面を前記ボード本体２に固着している。そしてこれにより、チタンアパタイトの作用により、浮遊している埃、塵、菌、有害物質等の有機物をチタンアパタイト層６に吸着して分解し、室内の住環境を良いものにしている。
【００２６】
即ち、周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つものである。
【００２７】
そのために、チタンアパタイトを塗布することで形成したチタンアパタイト層６を有するシート材３を備えた本実施例の多目的ボード１では、これを、パーテーション、ついたて、間仕切り、あるいは照明器具の傘やフードなどに使用することで、室内等に浮遊している埃、塵、菌、有害物質等の有機物をチタンアパタイト層６に吸着し、このチタンアパタイト層６に吸着した埃、塵、菌、有害物質、花粉等を確実に酸化分解することができ、従って、室内の住環境を良いものにすることができる。
【００２８】
また、チタンアパタイトは光触媒材料であるために紫外線が当たらないと埃等を分解することはできないが、吸着能力が常にあるために、光が無い暗い場所でも埃、塵、菌、有害物質等を吸着し、その後紫外線が当たった時に吸着した埃、塵、菌、有害物質等を分解することができるために、就寝中等においても、常に室内の住環境を良いものにすることができる。なお、前述のチタンアパタイトを含有したスプレーは既に市販されているので、その製造方法等の詳細な説明は省略する。また、必ずしも、スプレーによりシート本体５の表面にチタンアパタイトを塗布する必要はなく、刷毛等で塗布してもよい。そしてその場合は、チタンアパタイトの粉を水や接着剤で溶いて粘性を持たせた状態にして、この粘性を持たせたチタンアパタイトを、刷毛等でシート本体５の表面に塗る方法が考えられる。
【００２９】
なお、前述の説明では、前記ボード本体２の表裏面にシート材３を固着した構成を説明したが、シート材３は必ずしもボード本体２の表裏面に固着する必要はなく、一方の面のみに固着してもよい。そして、シート材３をボード本体２の一方の面のみに固着した場合には、前記ボード本体２の他方の面に接着層を形成してもよく、これにより、接着層の接着力によって、本実施例の多目的ボード１を所望する箇所に貼着して使用することが可能となる。
【００３０】
次に、このように構成される本実施例の多目的ボードの作用について説明すると、本実施例の多目的ボード１は、パーテーション、ついたて、間仕切りに使用したり、照明器具の傘やフードなどに使用したりする。また、室内の壁や戸に係止してもよく、あるいは病院で使用するカルテの素材として使用してもよい。
【００３１】
そうすると、チタンアパタイト層６を形成するチタンアパタイトにより、室内等に浮遊する埃、塵、菌、有害物質等を吸着して分解し、それにより、室内等の住環境を良いものにすることができる。
【００３２】
従って、本実施例の多目的ボードをパーテーション、ついたて、間仕切りに使用したり、照明器具の傘やフード等に使用したりすることで、特に面倒な作業を行うことなく、室内環境を好みの装飾にするとともに、室内を浮遊する埃、塵、菌、有害物質等を吸着分解し、室内の住環境を良いものにすることができる。
【００３３】
なお、本考案の多目的ボードは、パーテーション、ついたて、間仕切り、照明器具の傘やフード等としての使用に限定されるものではなく、屋内等の住環境を良いものにするために用いることができるボード状の製品の全般に使用することが可能である。
【産業上の利用可能性】
【００３４】
本考案の多目的ボードでは、チタンアパタイトを塗布することで形成したチタンアパタイト層を有しており、これにより、室内等を浮遊する埃、塵、菌、有害物質等を吸着分解し、室内の住環境を良いものにすることができるために、屋内等の住環境を良いものにするために用いられるボード状の製品の全般に適用可能である。
【符号の説明】
【００３５】
１    多目的ボード
２    ボード本体
３    シート材
４    接着層
５    シート本体
６    チタンアパタイト層
【図１】
0003206542.tif 000003
【図２】
0003206542.tif 000004
【図３】
0003206542.tif 000005